(57)【要約】【課題】三段階調整方式の挟持の機能を具え、ＣＲＴモニタ、ノートＰＣのモニタ、スリムタイプの液晶モニタ、通常の液晶モニタなどの表示装置に固定して、これと相対して撮影するための小型カメラ用多段階式クリップスタンド。【解決手段】主に固定部品３１、可動部品３２、メイン挟持部品３３、サブ挟持部品３４により構成する。該可動部品はバネ３１４を介して該固定部品と相互に接続する。該メイン挟持部品と該サブ挟持部品は該可動部品下部に回動可能に接続する。該バネは該可動部品と該固定部品間において挟持空間を形成する。該メイン挟持部品は該軸芯の廻りに外側に向かって回転可能であり、或いは該サブ挟持部品と同時に外側に向かい回転し、該サブ挟持部品と該固定部品間に挟持間隔距離が異なる第二挟持空間及び第二挟持空間を形成する。【選択図】図５
0003098108.tif 000002
【実用新案登録請求の範囲】
【請求項１】
主に固定部品、可動部品、メイン挟持部品、サブ挟持部品により構成し、該可動部品は少なくとも一個の弾力部品を介して該固定部品と相互に接続し、片側に該メイン挟持部品を該軸体により回動可能に設置し、
該サブ挟持部品は該メイン挟持部品に沿って設け、
該弾力部品の弾発力により該可動部品と該固定部品間に第一挟持空間を形成し、該メイン挟持部品は該軸体を軸芯とし単独で外側に向かい回動し、或いは該サブ挟持部品と同時に外側に向かい回動して、該メイン挟持部品及び該サブ挟持部品と該固定部品間に間隔距離が異なる第二挟持空間及び第二挟持空間を形成可能としたことを特徴とする多段階式クリップスタンド。
【請求項２】
前記メイン挟持部品と前記サブ挟持部品は前記軸体により回動可能に接続されることを特徴とする請求項１記載の多段階式クリップスタンド。
【請求項３】
前記メイン挟持部品には中空部を設置し、前記サブ挟持部品は該中空部内に回動可能に設けられてなることを特徴とする請求項１記載の多段階式クリップスタンド。
【請求項４】
前記固定部品は軸方向に前記可動部品に向かい少なくとも一個の柱体を設置し、前記弾力部品は該柱体上に挿通し、前記可動部品には対応する凹溝を設置し、該柱体と前記弾力部品を収容してなることを特徴とする請求項１記載の多段階式クリップスタンド。
【請求項５】
前記固定部品の前記可動部品に向かった面上において凸片を設置し、前記可動部品の該凸片に対応する位置に嵌合溝を設け、該凸片は該嵌合溝内に挿通され、前記固定部品と前記可動部品の連結強度を向上させることを特徴とする請求項１記載の多段階式クリップスタンド。
【請求項６】
前記メイン挟持部品、前記サブ挟持部品は折畳まれ、前記可動部品と密着し、クリップスタンドに起立機能を提供することを特徴とする請求項１記載の多段階式クリップスタンド。
【請求項７】
前記固定部品上には映像撮影装置を設置することを特徴とする請求項１記載の多段階式クリップスタンド。
【考案の詳細な説明】
【０００１】
【考案の属する技術分野】
本考案は一種の多段階式クリップスタンドに関する。特に一種の三段階調整方式及び起立と挟持の機能を具える多段階式クリップスタンドに係る。
【０００２】
【従来の技術】
映像処理と伝送技術の進歩に応じて双方向情報通信手段が発展し、テレビジョンやパーソナルコンピュータのモニタに取り付けて、映像を相手側に送信する映像撮影装置が広く応用され始めている。
公知の映像撮影装置はレンズと該レンズ底部のスタンドとで構成されている。該スタンドにより、該レンズは机上、モニタ上、或いは任意の適当な平面上に設置されるが、撮影位置の高さや距離を考慮すると、モニタ頂点部への設置が最適と言われ、スリムタイプの液晶モニタやスリムタイプのモニタを具えたノートＰＣにおいては、モニタ上部に挟持方式で撮影装置のレンズを固定することになる。図１が示す「コンピュータモニタに対応するデジタル映像撮影装置の挟持固定装置」は主にスライドクリップ２０２により構成され、主体部２０８、スライド部２１０、重鉛板２１２、バネ２１４を含む。該スライド部２１０はスライド方式で該主体部２０８に対応し、該バネ２１４は該主体部２０８及び該スライド部２１０を接続する。これにより、該主体部２０８及び該スライド部２１０は該バネを介してモニタの枠への取り付けのための挟持力を生じ、また安定のため該重鉛板２１２は該スライド部２１０底部に設置し、該スライドクリップ２０２全体の重量を増やす。
上記構造は一般のデスクトップＰＣ及びノートＰＣに応用可能ではあるが、以下のような欠点を有する。
先ず、全体的外形が立体矩形であるため体積が膨大で場所をとり、また該重鉛板２１２を設置するため全体的に非常に重く携帯に不利である。
さらに、該スライド部２１０には該重鉛板２１２を設置するため、安定固定の実現には該バネ２１４は強力な引力が必要である。しかし実際には、該バネ２１４はコストが低く引力が劣るバネであるため、発揮できる能力に限界があり故障率も高い。
加えて、該主体部２０８と該スライド部２１０が対応する行程が長いため、スライドがスムーズに行かない状況が発生し易く、該スライド部２１０と該主体部２０８間の挟持力にも影響を及ぼす。
【０００３】
さらに別の構造は図２、３が示す「ビデオカメラのサポート装置」である。該サポート装置はビデオカメラ１０の頚部１２、該頚部１２と可動接続するメインアーム１４、左アーム２０’、右アーム２０を含む。該左アーム２０’、該右アーム２０の可動軸回転方向は相互に非平行状で、該メインアーム１４は末端２１を具え、該左アーム２０’、該右アーム２０はカギ状末端２９’、２９を具える。該メインアーム１４、該左アーム２０’、該右アーム２０を展開することにより、該ビデオカメラ１０の平面上での起立を支えることができる。
また、図３が示すように、該左アーム２０’　該右アーム２０、該メインアーム１４はそれぞれ異なる傾斜角度のフレーム７６、７６’の両側面上において接触定位、或いは掛けることができる。しかし、該構造にもやはり以下のような欠点が存する。
先ず該メインアーム１４、該左アーム２０’、該右アーム２０の展開角度は固定されており、調整不能である。次に、該カギ状末端２９’、２９を液晶モニタ上に掛けて設置、調整、或いは移動させる時、モニタを摩損或いは点状の圧迫痕を残す可能性がある。さらに、該ビデオカメラ１０は該メインアーム１４、該左アーム２０’、該右アーム２０によってのみ挟み掛ける形式で設置されているため、安定性は低く、焦点がずれるなどの問題を生じ、ひどい場合には衝撃により移動或いは落下する恐れもある。
【０００４】
【考案が解決しようとする課題】
上記公知構造の欠点を解決するため、本考案は多段階式クリップスタンドの提供を課題とする。
それは、三段階の弾力調整方式及び起立機能を具え、様々な厚さの物体の挟持に適するため適用範囲が広く、実用性が高い。
またそれは、折り畳み可能であるため、収納及び携帯に便利である。
【０００５】
【課題を解決するための手段】
上記課題を解決するため、本考案は下記の多段階式クリップスタンドを提供する。
それは主に固定部品、可動部品、メイン挟持部品、サブ挟持部品により構成する。
該可動部品は弾力部品と該固定部品により相互に接続する。該メイン挟持部品と該サブ挟持部品は該可動部品底部に可動接続する。該弾力部品は該可動部品と該固定部品間において挟持空間を形成する。該メイン挟持部品は該軸体を軸芯とし単独で外側に向かい回転し、或いは該サブ挟持部品と同時に外側に向かい回転し、該サブ挟持部品と該固定部品間に間隔距離が異なる第二挟持空間及び第二挟持空間を形成する。
【０００６】
【考案の実施の形態】
図４、５、６、７が示すように、本考案スタンド３０は固定部品３１、可動部品３２、メイン挟持部品３３、サブ挟持部品３４により構成する。
該固定部品３１上にはＰＣカメラ、デジタルカメラなどの映像撮影装置３１１を設置し、該映像撮影装置３１１は信号線３１２を具える。該映像撮影装置３１１の後部には信号線固定部品３１８を設置し、該信号線３１２は該信号線固定部品３１８内に穿設する。該信号線固定部品３１８が該信号線３１２を固定するため、該信号線３１２の揺動による該映像撮影装置３１１への影響を防止可能である。該信号線３１２はＵＳＢ或いはＩＥＥＥ（図示なし）に接続可能で、該映像撮影装置３１１が撮影した映像を外部の処理装置に伝送することができる。
該可動部品３２は、該固定部品３１の後部に配置され、該メイン挟持部品３３、該サブ挟持部品３４は軸体３５により該可動部品３２に回動可能に設置される。
該可動部品３２と該メイン挟持部品３３は該固定部品３１に相対して配置される。
【０００７】
次に図８、９、１０、１１が示すように、該可動部品３２は該固定部品３１の後部に配置され、該固定部品３１のは該可動部品３２に相対して一対の柱体３１３を設置する。該柱体３１３上にはバネ３１４を挿通し、該バネ３１４両端の該柱体３１３上において定位ブロック３１５、３１６を設置する。該可動部品３２の該柱体３１３と該バネ３１４に対応する位置において凹溝３２１を設置し、該柱体３１３、該バネ３１４、該定位ブロック３１５、３１６を該凹溝３２１内に嵌置する。これにより、該定位ブロック３１５、３１６と該凹溝３２１は緊密に対応し、該柱体３１３、該バネ３１４を該凹溝３２１内に定位し、こうして該可動部品３２と該固定部品３１は相互にバネを介して接続する。さらに、該バネ３１４により、該可動部品は該バネ３１４の弾発力により該柱体３１３の軸方向に沿って、該固定部品３１と密着し、或いは分離移動する。
さらに、該可動部品３２の移動時の安定性を向上させるため、該固定部品３１の該可動部品３２に向かった面上において凸片３１７を設置し、該可動部品３２の該凸片３１７に対応する位置に嵌合溝３２２を設置して、該凸片３１７を該嵌合溝３２２内に挿通させる。
こうして、該可動部品３２と該固定部品３１の連結強度は増し、該柱体３１３、該バネ３１４、該定位ブロック３１５、３１６の受ける力を分担するため、該可動部品３２移動時の安定性を提供することができる。
また、図１１が示すように、該可動部品３２を引き動かす時、該メイン挟持部品３３、該サブ挟持部品３４は該可動部品３２上に回動可能に設置されているため、該メイン挟持部品３３、該サブ挟持部品３４を合わせて移動させることができる。さらに、該メイン挟持部品３３と該固定部品３１間には間隔距離Ｄ１が形成され、該物体４０上において挟持可能で、該映像撮影装置３１１を該物体４０上で定位することができる。該物体４０はノートＰＣのモニタ或いは他の薄型物体である。
【０００８】
続いて図８、１２、１３が示すように、該メイン挟持部品３３は中空部３３１を具え、該サブ挟持部品３４は該中空部３３１内に嵌設する。該メイン挟持部品３３、該サブ挟持部品３４は概ねＬ字型を呈し、該メイン挟持部品３３と該サブ挟持部品３４は該軸体３５により該可動部品３２後部に回動可能に設置する。該メイン挟持部品３３と該サブ挟持部品３４は図１２に示すように一体化し、該固定部品３１、該可動部品３２と相互に接触し一体を構成する。該固定部品３１、該メイン挟持部品３３、該サブ挟持部品３４は平坦な底部を構成し、該映像撮影装置３１１を平面上で起立可能とする。
または図８が示すように、該メイン挟持部品３３と該サブ挟持部品３４は、該軸体３５を軸芯として共に回動し、該メイン挟持部品３３、該サブ挟持部品３４と該固定部品３１間に間隔距離Ｄ２を形成する。該間隔距離Ｄ２は該間隔距離Ｄ１より大きく、前記物体４０より厚い他の物体５０を該固定部品３１と該メイン挟持部品３３間において挟持可能である。
さらに図１３が示すように、該メイン挟持部品３３だけを回転させ、該サブ挟持部品３４はその位置を保持した場合には、該サブ挟持部品３４と該固定部品３１間には間隔距離Ｄ３を形成する。該間隔距離Ｄ３は前記間隔距離Ｄ２より小さく、前記物体５０４０より薄い他の物体６０を挟持可能である。
【０００９】
次に図１４が示すように、該メイン挟持部品３３と該サブ挟持部品３４を一緒に回動させ、該可動部品３２を該固定部品３１から引き離した時、本考案では最大の間隔距離Ｄ４を形成する。これにより、該映像撮影装置３１１は厚みが大きい物体７０上に位置決め固定される。該物体７０は比較的厚めの液晶モニタである。
該メイン挟持部品３３を外へと動かし、該サブ挟持部品３４は元の位置を保ち、該可動部品３２を該固定部品３１から引き離した場合には、本考案では最小の間隔距離Ｄ５を形成する。これにより、該映像撮影装置３１１は厚みが小さい物体８０上に定位される。該物体８０はスリムタイプの液晶モニタである。
即ち、本考案は間隔距離Ｄ１、Ｄ２、Ｄ３、Ｄ４ともに適用することができる。
【００１０】
【考案の効果】
上記のように、本考案は起立及び弾力三段階式挟持機能を具え、ＣＲＴモニタ、ノートＰＣのモニタ、スリムタイプの液晶モニタ、通常の液晶モニタなど様々な厚さの物体に使用することができ、極めて実用的かつ経済的である。
【図面の簡単な説明】
【図１】公知の挟持固定装置の構造指示図である。
【図２】公知の「カメラのサポート装置」の立体外観図である。
【図３】公知の「カメラのサポート装置」の挟持部品の指示図である。
【図４】本考案の前面指示図である。
【図５】本考案の側面指示図である。
【図６】本考案の後面指示図である。
【図７】本考案の底面指示図である。
【図８】本考案においてメイン挟持部品とサブ挟持部品を外側に向け回転させる状態の側面断面指示図である。
【図９】本考案においてメイン挟持部品とサブ挟持部品を外側に向け回転させる状態の底面断面指示図である。
【図１０】本考案の固定部品と可動部品の構造分解図である。
【図１１】本考案が物体を挟持する様子を示す側面指示図である。
【図１２】本考案収納時の側面部分断面図である。
【図１３】本考案がサブ挟持部品と固定部品により物体を挟持する様子を示す側面指示図である。
【図１４】本考案が異なる厚さの物品を挟持する様子を示す側面指示図である。
【図１５】本考案が異なる厚さの物品を挟持する様子を示す側面指示図である。
【符号の説明】
１０　ビデオカメラ
１２　頚部
１４　メインアーム
２０’　左アーム
２０　右アーム
２１　末端
２９’　カギ状末端
２０２　スライドクリップ
２０８　主体部
２１０　スライド部
２１２　重鉛板
２１４　バネ
３０　スタンド
３１　固定部品
３１１　映像撮影装置
３１２　信号線
３１３　柱体
３１４　バネ
３１５　定位ブロック
３１６　定位ブロック
３１７　凸片
３１８　信号線固定部品
３２　可動部品
３２１　凹溝
３２２　嵌合溝
３３　メイン挟持部品
３３１　中空部
３４　サブ挟持部品
３５　軸体
７６　フレーム体
７６’　フレーム体
４０　物体
５０　物体
６０　物体
７０　物体
８０　物体
Ｄ１　間隔距離
Ｄ２　間隔距離
Ｄ３　間隔距離
Ｄ４　間隔距離
Ｄ５　間隔距離
【図１】
0003098108.tif 000003
【図２】
0003098108.tif 000004
【図３】
0003098108.tif 000005
【図４】
0003098108.tif 000006
【図５】
0003098108.tif 000007
【図６】
0003098108.tif 000008
【図７】
0003098108.tif 000009
【図８】
0003098108.tif 000010
【図９】
0003098108.tif 000011
【図１０】
0003098108.tif 000012
【図１１】
0003098108.tif 000013
【図１２】
0003098108.tif 000014
【図１３】
0003098108.tif 000015
【図１４】
0003098108.tif 000016
【図１５】
0003098108.tif 000017